(57)【要約】【課題】大きさの異なる複数種類の飲料容器間で共通して用いることができるとともに飲料容器の中央部以外にも装着可能として新たな機能を発揮できるドリンクスリーブおよびドリンクスリーブセットを提供する。【解決手段】ドリンクスリーブ１００は、筒状のスリーブ本体１０１を備えている。スリーブ本体１０１は、一方の端部から他方の端部に向かって外径および内径が次第に小さくなる錐状（テーパ状）に形成されている。また、スリーブ本体１０１は、第１面１０２が無地の綿布で構成されるとともに、第２面１０３が水玉模様の化繊布で構成されている。このスリーブ本体１０１における一方の端部には、切込み部１０５が形成されている。切込み部１０５は、前記一方の端部側から開口幅が次第に狭くなるＶ字状に形成されている。【選択図】  図１
2017165430.tif 000002
【特許請求の範囲】
【請求項１】
有底筒状の飲料容器の外周面に着脱自在に装着されるドリンクスリーブであって、
シート状の材料を前記飲料容器が貫通可能な筒状に形成されたスリーブ本体と、
前記スリーブ本体における一方の端部から軸方向に延びて形成された切込み部とを有することを特徴とするドリンクスリーブ。
【請求項２】
請求項１に記載したドリンクスリーブにおいて、
前記スリーブ本体は、
布材、樹脂材またはゴム材で構成されていることを特徴とするドリンクスリーブ。
【請求項３】
請求項１または請求項２に記載したドリンクスリーブにおいて、
前記切込み部は、
前記スリーブ本体の端部から軸方向の中央部側に向かって開口幅が狭くなるＶ字状に形成されていることを特徴とするドリンクスリーブ。
【請求項４】
請求項１ないし請求項３のうちのいずれか１つに記載したドリンクスリーブにおいて、
前記スリーブ本体は、
外側面および内側面の両面にそれぞれ装飾が施されていることを特徴とするドリンクスリーブ。
【請求項５】
請求項１ないし請求項４のうちのいずれか１つに記載したドリンクスリーブにおいて、
前記スリーブ本体は、
一方の端部側から他方の端部側に向かって太さが減少する錐状に形成されていることを特徴とするドリンクスリーブ。
【請求項６】
請求項１ないし請求項５のうちのいずれか１つに記載したドリンクスリーブにおいて、さらに、
前記スリーブ本体を他の物品に着脱自在に連結するための連結具を備えることを特徴とするドリンクスリーブ。
【請求項７】
請求項１ないし請求項６のうちのいずれか１つに記載したドリンクスリーブと、
前記飲料容器の下に敷くコースタとを備えたことを特徴とするドリンクスリーブセット。
【発明の詳細な説明】
【技術分野】
【０００１】
本発明は、カップ、コップまたはペットボトルなどの各種有底筒状の飲料容器の外表面に着脱自在に装着されるドリンクスリーブに関する。
【背景技術】
【０００２】
従来から、コーヒなどの飲料の提供に用いられるカップ状の飲料容器に対して飲料容器の外周部に着脱自在に装着されるドリンクスリーブがある。例えば、下記特許文献１には、樹脂製のシート材を飲料容器の外周部に対応した円筒状に形成したカップ用断熱スリーブ（ドリンクスリーブ）が開示されている。
【先行技術文献】
【特許文献】
【０００３】
【特許文献１】特表２０１４−５１６８８８号公報
【０００４】
しかしながら、上記特許文献１に記載されたドリンクスリーブにおいては、１つの大きさの飲料容器に合せて製作されているため、大きさの異なる複数種類の飲料容器間で共通して用いることができないとともに飲料容器の中央部にしか装着することができず意匠性および使用形態が限定されるという問題があった。
【発明の概要】
【０００５】
本発明は上記問題に対処するためなされたもので、その目的は、大きさの異なる複数種類の飲料容器間で共通して用いることができるとともに飲料容器の中央部以外にも装着可能として新たな機能を発揮できるドリンクスリーブおよびドリンクスリーブセットを提供することにある。
【０００６】
上記目的を達成するため、本発明の特徴は、有底筒状の飲料容器の外周面に着脱自在に装着されるドリンクスリーブであって、シート状の材料を飲料容器が貫通可能な筒状に形成されたスリーブ本体と、スリーブ本体における一方の端部から軸方向に延びて形成された切込み部とを有することにある。この場合、飲料容器としては、カップ状、コップ状の容器のほか、ペットボトルがある。
【０００７】
このように構成した本発明の特徴によれば、ドリンクスリーブは、筒状に形成されたスリーブ本体の端部に切込み部が形成されているため、サイズが大きな飲料容器にも装着できる。また、本発明に係るドリンクスリーブは、前記切込み部によって切込み部が形成されたスリーブ本体を折り返し易いとともにこの折り返しによってドリンクスリーブの意匠性を高めるとともに、スリーブ本体における二重になった部分をユーザが把持することで飲料容器の熱さや冷たさを感じることを緩和することができる。また、本発明に係るドリンクスリーブは、切込み部を介して折り返した部分を飲料容器の底部より下方に位置させた状態で装着することにより飲料容器を傾斜した状態で支持することができるため、ユーザによる飲料容器の把持動作を行い易くすることができる。すなわち、本発明に係るドリンクスリーブによれば、大きさの異なる複数種類の飲料容器間で共通して用いることができるとともに飲料容器の中央部以外にも装着可能として新たな機能を発揮させることができる。
【０００８】
また、本発明の他の特徴は、前記ドリンクスリーブにおいて、スリーブ本体は、布材、樹脂材またはゴム材で構成されていることにある。すなわち、スリーブ本体は、人手で弾性変形させることができる柔軟な材料であり、例えば、布材としては綿布や化繊布、樹脂材としてはポリカーボネート材、ゴム材としてはラバーゴムやシリコンゴムなどで構成することができる。
【０００９】
このように構成した本発明の他の特徴によれば、ドリンクスリーブは、より一層幅広いサイズの飲料容器への装着が可能になるとともに切込み部を介したスリーブ本体の折り返し作業も行い易くなるとともに繰り返しの折り返し変形に対する耐久性も向上させることができる。また、ドリンクスリーブは、スリーブ本体の裏返しも容易となり、裏返しての使用も可能となる。
【００１０】
また、本発明の他の特徴は、前記ドリンクスリーブにおいて、切込み部は、スリーブ本体の端部から軸方向の中央部側に向かって開口幅が狭くなるＶ字状に形成されていることにある。
【００１１】
このように構成した本発明の他の特徴によれば、ドリンクスリーブは、切込み部がスリーブ本体の端部から軸方向の中央部側に向かって開口幅が狭くなるＶ字状に形成されているため、スリーブ本体の折り返しや裏返しが極めて行い易くなり作業性を向上させることができる。また、本発明に係るドリンクスリーブは、スリーブ本体を切込み部を介して折り返した際に折り返した部分がシャツの襟元のような形状になるため、意匠性を向上させることができる。また、本発明に係るドリンクスリーブは、切込み部を介して折り返した部分を飲料容器の底部より下方に位置させた状態で装着した場合には飲料容器を切込み部側により傾斜させることができる。
【００１２】
また、本発明の他の特徴は、前記ドリンクスリーブにおいて、スリーブ本体は、外側面および内側面の両面にそれぞれ装飾が施されていることにある。
【００１３】
このように構成した本発明の他の特徴によれば、ドリンクスリーブは、スリーブ本体の外側面および内側面の両面にそれぞれ装飾が施されているため、２つの面を好みに応じて使い分けて使用することができる。この場合、スリーブ本体の両面は、同じ装飾が施されていてもよいし、互いに異なる装飾が施されていてもよい。また、スリーブ本体の両面は、同じ材料で構成されていてもよいし、互いに異なる材料で構成されていてもよい。また、ドリンクスリーブは、飲料容器が透明である場合には、飲料容器内の飲料の減少に応じて飲料容器を介してスリーブ本体の内側面が現れて視認できるようになるためユーザに対してデザイン上の意外性を与えることができる。
【００１４】
また、本発明の他の特徴は、前記ドリンクスリーブにおいて、スリーブ本体は、一方の端部側から他方の端部側に向かって太さが減少する錐状に形成されていることにある。
【００１５】
このように構成した本発明の他の特徴によれば、ドリンクスリーブは、スリーブ本体が一方の端部側から他方の端部側に向かって太さが減少する錐状に形成されているため、より一層幅広いサイズの飲料容器への装着が可能になるとともに切込み部を介したスリーブ本体の折り返し作業および裏返し作業も行い易くなる。また、本発明に係るドリンクスリーブは、切込み部を介して折り返した部分を飲料容器の底部より下方に位置させた状態で装着した場合には折り返した部分が大きな環状になるため飲料容器をより安定的に支持することができる。
【００１６】
また、本発明の他の特徴は、前記ドリンクスリーブにおいて、さらに、スリーブ本体を他の物品に着脱自在に連結するための連結具を備えることにある。
【００１７】
このように構成した本発明の他の特徴によれば、ドリンクスリーブは、スリーブ本体を他の物品（以下、「被連結物」という）に着脱自在に連結するための連結具を備えているため、カバン、バッグ、鍵、携帯端末装置（スマートフォンなど）などの被連結物に取り付けることによってこれらの被連結物の意匠性や装飾性を向上させることができるとともにドリンクスリーブを容易に携帯することができる。
【００１８】
また、本発明は、ドリンクスリーブの発明として実施できるばかりでなく、ドリンクスリーブを有したドリンクスリーブセットの発明としても実施できる。
【００１９】
具体的には、ドリンクスリーブセットは、前記した各ドリンクスリーブと、飲料容器の下に敷くコースタとを備えるとよい。
【００２０】
これによれば、ドリンクスリーブセットは、前記ドリンクスリーブと同様の作用効果を発揮するとともに、コースタによって飲料容器の意匠性や装飾性を向上させることができる。
【図面の簡単な説明】
【００２１】
【図１】本発明の一実施形態に係るドリンクスリーブの外観構成の概略を示す平面図である。
【図２】図１に示すドリンクスリーブを第１面を表側にして飲料容器に装着した使用状態を示す斜視図である。
【図３】図２に示すドリンクスリーブの切込み部側を折り返した使用状態を示す斜視図である。
【図４】図１に示すドリンクスリーブを第２面を表側にするとともに切込み部側を折り返して装着した使用状態を示す斜視図である。
【図５】図１に示すドリンクスリーブを第１面を表側にするとともに切込み部側を折り返して透明な飲料容器に装着した使用状態を示す斜視図である。
【図６】図１に示すドリンクスリーブを被連結物に連結した使用状態を示す斜視図である。
【図７】図１に示すドリンクスリーブをペットボトルからなる飲料容器の底部に装着した状態を示す側面図である。
【図８】本発明の一実施形態に係るドリンクスリーブセットの外観構成の概略を使用状態で示す斜視図である。
【図９】図８に示すコースタを有するベース体の外観構成の概略を示す斜視図である。
【図１０】図８に示すドリンクスリーブセットを収容袋に収容した状態を示す正面図である。
【発明を実施するための形態】
【００２２】
以下、本発明に係るドリンクスリーブおよびドリンクスリーブセットの一実施形態について図面を参照しながら説明する。図１は、本発明に係るドリンクスリーブ１００の外観構成の概略を示す平面図である。また、図２は、図１に示すドリンクスリーブ１００を飲料容器８０に装着した使用状態を示す斜視図である。また、図３は、図２に示すドリンクスリーブ１００の切込み部１０５側を折り返した使用状態を示す斜視図である。このドリンクスリーブ１００は、コーヒ、お茶、ジュースなどの清涼飲料水またはアルコール飲料などの飲料Ｄを収容した瓶、缶またはペットボトルなどのほか、コーヒなどの飲料Ｄの提供を受ける際に飲料Ｄが注がれたカップまたはコップなどからなる飲料容器８０の外周部に装着されて飲料容器８０の把持部分として用いられるものである。
【００２３】
（ドリンクスリーブ１００の構成）
ドリンクスリーブ１００は、スリーブ本体１０１を備えている。スリーブ本体１０１は、飲料容器８０の外周部に着脱自在に装着される部分であり、シート状の部材を筒状に形成して構成されている。より具体的には、スリーブ本体１０１は、一方（図示上側）の端部から他方（図示下側）の端部に向かって外径および内径が次第に小さくなる錐状（テーパ状）に形成されている。この場合、スリーブ本体１０１の内径は、飲料容器８０の少なくとも一部が貫通可能な大きさに形成されている。
【００２４】
また、スリーブ本体１０１は、可撓性を有する柔軟なシート状の材料で構成されている。本実施形態においては、スリーブ本体１０１は、布材で構成されている。より具体的には、スリーブ本体１０１は、外側面または内側面となる第１面１０２を構成する布地と、第１面１０２の反対側に配置されて内側面または外側面となる第２面１０３を構成する布地とが互いに異なる生地かつ異なるデザインで構成されている。本実施形態においては、スリーブ本体１０１は、第１面１０２が無地の綿布で構成されるとともに、第２面１０３が水玉模様の化繊布で構成されている。
【００２５】
これらの第１面１０２を構成する布地および第２面１０３を構成する布地は、スリーブ本体１０１を錐状の筒体に形成するために展開した状態でそれぞれ円弧状に延びて形成されている。そして、これらの各布地は、周縁部同士が互いに縫合されるとともに円弧状に延びる各布地の両端部同士が突き合わされた合せ部１０４で互いに縫合されて錐状の筒体を形成している。このスリーブ本体１０１には、前記一方の端部側に切込み部１０５が形成されている。
【００２６】
切込み部１０５は、スリーブ本体１０１の端部側の変形の自由度を高めるための部分であり、同端部の周縁部の一部をスリーブ本体１０１の軸方向に沿って分離して形成されている。より具体的には、切込み部１０５は、前記一方（図示上側）の端部側から開口幅が次第に狭くなるＶ字状に形成されている。この場合、切込み部１０５は、合せ部１０４の延長線上に形成されることにより、切込み部１０５の尖った先端部からの裂けを防止して耐久性を向上させている。この切込み部１０５は、第１面１０２を構成する布地および第２面１０３を構成する布地における前記一方（図示上側）の端部側の各角部を切り欠くことで形成されている。
【００２７】
また、スリーブ本体１０１の合せ部１０４における切込み部１０５とは反対側の端部には連結具１０６が設けられている。連結具１０６は、ドリンクスリーブ１００をカバンやバッグなどの他の物品である被連結物９０に着脱自在な状態で連結するための部品であり、本実施形態においては主として環状部１０６ａと引掛け金具１０６ｂとで構成されている。環状部１０６ａは、引掛け金具１０６ｂが掛けられる部分であり、スリーブ本体１０１の合せ部１０４から紐体を環状に張り出させて構成されている。また、引掛け金具１０６ｂは、前記環状部１０６ａおよび被連結物９０に対してそれぞれ着脱自在に引っ掛けられる部品であり、金属製の２つの鉤状体が互いに背中合わせに連結されて構成されている。
【００２８】
（ドリンクスリーブ１００の作動）
次に、上記のように構成したドリンクスリーブ１００の作動について説明する。まず、ドリンクスリーブ１００のユーザは、飲料Ｄが入ったカップ状、コップ状またはペットボトル状の飲料容器８０とともにドリンクスリーブ１００を用意する。次に、ユーザは、スリーブ本体１０１の環状部１０６ａから引掛け金具１０６ｂを外した後、飲料容器８０の表側に露出させるドリンクスリーブ１００の面、すなわち、第１面１０２または第２面１０３を選択する。
【００２９】
この場合、ユーザは、ドリンクスリーブ１００における飲料容器８０の表側に露出させたいと希望する面（第１面１０２または第２面１０３）がスリーブ本体１０１の内側面になっている場合には、スリーブ本体１０１を裏返すことによって内側面を外側に露出させる。この裏返し作業において、ユーザは、筒状に形成されたスリーブ本体１０１の端部に切込み部１０５が形成されているためスリーブ本体１０１を容易に裏返すことができる。
【００３０】
次に、ユーザは、ドリンクスリーブ１００を飲料容器８０に装着する。具体的には、ユーザは、図２に示すように、筒状のスリーブ本体１０１内に飲料容器８０を貫通させて飲料容器８０の外周面上にスリーブ本体１０１を配置する。この場合、ドリンクスリーブ１００は、筒状に形成されたスリーブ本体１０１の端部に切込み部１０５が形成されているため、飲料容器８０の外径がスリーブ本体１０１の内径よりも大きい場合であっても飲料容器８０の外表面に沿って密着して装着することができる。これにより、ドリンクスリーブ１００は、飲料容器８０の外周部の一部覆って飲料容器８０を装飾することができる。
【００３１】
また、ユーザは、図３に示すように、スリーブ本体１０１における切込み部１０５側の端部を折り返すことにより飲料容器８０の外周部の一部を二重に覆うことができる。これにより、ドリンクスリーブ１００は、ドリンクスリーブ１００の意匠性を高めることができる。
【００３２】
また、ドリンクスリーブ１００は、図４に示すように、スリーブ本体１０１における第２面１０３を表側にした場合には、図３に示すスリーブ本体１０１における第１面１０２を表側にした場合とは異なる意匠で飲料容器８０を装飾することができる。また、ドリンクスリーブ１００は、図５に示すように、透明な飲料容器８０に装着することによって飲料容器８０内の飲料Ｄの減少に応じて飲料容器８０を介してスリーブ本体１０１の内側面が現れて視認できるようになるためユーザに対してデザイン上の意外性を与えることができる。なお、図５においては、飲料容器８０内の飲料Ｄを省略して示している。
【００３３】
次に、ユーザは、飲料容器８０を把持する場合には、飲料容器８０におけるドリンクスリーブ１００が装着されている部分を介して飲料容器８０を把持する。これにより、ユーザは、飲料容器８０を直接把持しないため、飲料容器８０の熱さや冷たさを緩和した状態で飲料容器８０を把持することができる。また、この場合、ユーザは、スリーブ本体１０１における二重になった部分を把持することによって飲料容器８０の熱さや冷たさをより緩和して把持することができる。
【００３４】
次に、ユーザは、ドリンクスリーブ１００を飲料容器８０から取り外す場合には、筒状のドリンクスリーブ１００内から飲料容器８０を抜き取ることでドリンクスリーブ１００を飲料容器８０から取り外すことができる。この場合においてもドリンクスリーブ１００は、筒状に形成されたスリーブ本体１０１の端部に切込み部１０５が形成されているため、飲料容器８０を容易に抜くことができる。
【００３５】
次に、ユーザは、図６に示すように、飲料容器８０から取り外したドリンクスリーブ１００におけるスリーブ本体１０１に引掛け金具１０６ｂを連結した後、この引掛け金具１０６ｂをカバンなどの被連結物９０に連結することができる。この場合においても、ユーザは、ドリンクスリーブ１００における飲料容器８０の表側に露出させる面が内側面になっている場合には、スリーブ本体１０１を裏返すことによって内側面を外側に露出させる。これにより、ユーザは、好みの面を表面としてドリンクスリーブ１００を容易に持ち運ぶことができるとともに被連結物９０を装飾することができる。
【００３６】
また、ユーザは、ペットボトル状の飲料容器８０の底部側にドリンクスリーブ１００を装着することができる。具体的には、ユーザは、図７に示すように、ドリンクスリーブ１００における切込み部１０５側が飲料容器８０の底部側から張り出した状態でドリンクスリーブ１００における切込み部１０５側とは反対側に飲料容器８０の底部側外周部を挿し込む。次いで、ユーザは、スリーブ本体１０１における切込み部１０５側を折り返した状態で飲料容器８０をテーブル上に置く。
【００３７】
この場合、ドリンクスリーブ１００は、筒状に形成されたスリーブ本体１０１の端部の一部に切込み部１０５が形成されているため、飲料容器８０を切込み部１０５側に傾倒した状態で支持する。これにより、ユーザは、飲料容器８０を傾倒した側を自分側に向けることによって飲料容器８０の把持および持ち上げが行ない易くなる。
【００３８】
上記作動説明からも理解できるように、上記実施形態によれば、ドリンクスリーブ１００は、筒状に形成されたスリーブ本体１０１の端部に切込み部１０５が形成されているため、サイズが大きな飲料容器８０にも装着できる。また、本発明に係るドリンクスリーブ１００は、前記切込み部１０５によって切込み部１０５が形成された側のスリーブ本体１０１を折り返し易いとともにこの折り返しによってドリンクスリーブ１００の意匠性を高めるとともに、スリーブ本体１０１における二重になった部分をユーザが把持することで飲料容器８０の熱さや冷たさを感じることを緩和することができる。また、本発明に係るドリンクスリーブ１００は、切込み部１０５を介して折り返した部分を飲料容器８０の底部より下方に位置させた状態で装着することにより飲料容器８０を傾斜した状態で支持することができるため、ユーザによる飲料容器８０の把持動作を行い易くすることができる。すなわち、本発明に係るドリンクスリーブ１００によれば、大きさの異なる複数種類の飲料容器８０間で共通して用いることができるとともに飲料容器８０の中央部以外にも装着可能として新たな機能を発揮させることができる。
【００３９】
さらに、本発明の実施にあたっては、上記実施形態に限定されるものではなく、本発明の目的を逸脱しない限りにおいて種々の変更が可能である。なお、下記各変形例の説明に使用する図面においては、上記実施形態と同様の構成部分または対応する構成部分については同じ符号を付して、その説明を省略する。
【００４０】
例えば、上記実施形態においては、スリーブ本体１０１は、布材で構成した。しかし、スリーブ本体１０１は、人手で弾性変形させることができる柔軟な材料で構成されていればよく、例えば、各種布材のほか、樹脂材（例えば、ポリカーボネート材）、ゴム材（例えば、ラバーゴムやシリコンゴム）などで構成することができる。
【００４１】
また、上記実施形態においては、切込み部１０５は、スリーブ本体１０１の一方の端部から軸方向に向かって延びる略Ｖ字状に形成した。しかし、切込み部１０５は、スリーブ本体１０１の一方の端部から軸方向に向かって延びて形成されていればよく、例えば、直線状に形成されていてもよい。また、切込み部１０５は、スリーブ本体１０１の一方の端部に２つ以上形成されていてもよい。また、切込み部１０５は、スリーブ本体１０１の一方の端部と他方の端部にそれぞれ形成されていてもよい。
【００４２】
また、上記実施形態においては、スリーブ本体１０１は、第１面１０２および第２面１０３にそれぞれ互いに異なる図柄で構成した。しかし、スリーブ本体１０１は、第１面１０２および第２面１０３に互いに同じ図柄で構成してもよい。また、スリーブ本体１０１は、第１面１０２および第２面１０３について図柄を省略（例えば、生地そのものの地）で構成してもよい。
【００４３】
また、上記実施形態においては、スリーブ本体１０１は、一方（図示上側）の端部から他方（図示下側）の端部に向かって外径および内径が次第に小さくなる錐状（テーパ状）に形成した。しかし、スリーブ本体１０１は、一方（図示上側）の端部と他方（図示下側）の端部との間で外径および内径が同一径の管状に形成することもできる。
【００４４】
また、上記実施形態においては、ドリンクスリーブ１００は、スリーブ本体１０１に連結具１０６を備えて構成した。しかし、ドリンクスリーブ１００は、連結具１０６が不要な場合には省略して構成することができる。また、連結具１０６は、スリーブ本体１０１を被連結物９０に連結することができるように構成されていればよい。したがって、連結具１０６は、例えば、環状部１０６ａのみまたはスリーブ本体１０１に一体的に連結された引掛け金具１０６ｂで構成することができる。
【００４５】
また、上記実施形態におけるドリンクスリーブ１００は、図８に示すように、コースタ２００を加えてドリンクスリーブセット３００を構成することができる。コースタ２００は、飲料容器８０の下に敷くマットであり、紙材、布材、樹脂材またはゴム材をシート状または板状に形成して構成されている。この場合、コースタ２００は、表側および裏側を構成する２つの面がそれぞれスリーブ本体１０１の第１面１０２および第２面１０３とそれぞれ同じ装飾が施されていることにより、ドリンクスリーブ１００との間で意匠的な一体感または統一感を発揮させることができる。
【００４６】
また、コースタ２００は、例えば、図９に示すように、スリーブ本体１０１と同等以上の大きさの板状のベース体２０１にミシン目などの切込み線を介して成形しておき、ユーザによって切り離して得られるように構成することができる。これによれば、ドリンクスリーブセット３００は、図１０に示すように、ドリンクスリーブ１００とコースタ２００とを一つの収容袋Ｆ内に収容した販売する際に板状のベース体２０１によってスリーブ本体１０１の型崩れを防止することができる。この場合、収容袋Ｆは、収納物であるドリンクスリーブセット３００が外部から視認できる透明体で構成できるとともに、ドリンクスリーブセット３００が外部から視認できない不透明体で構成することもできる。なお、図１０においては、収容袋Ｆ内に収容されたドリンクスリーブ１００およびベース体２０１を破線で示している。
【符号の説明】
【００４７】
Ｄ…飲料、Ｆ…収容袋、
８０…飲料容器、９０…被連結物、
１００…ドリンクスリーブ、１０１…スリーブ本体、１０２…第１面、１０３…第２面、１０４…合せ部、１０５…切込み部、１０６…連結具、１０６ａ…環状部、１０６ｂ…引掛け金具、
２００…コースタ、２０１…ベース体、
３００…ドリンクスリーブセット。
【図１】
2017165430.tif 000003
【図２】
2017165430.tif 000004
【図３】
2017165430.tif 000005
【図４】
2017165430.tif 000006
【図５】
2017165430.tif 000007
【図６】
2017165430.tif 000008
【図７】
2017165430.tif 000009
【図８】
2017165430.tif 000010
【図９】
2017165430.tif 000011
【図１０】
2017165430.tif 000012